【手続補正書】
【提出日】平成19年9月18日(2007.9.18)
【手続補正１】
【補正対象書類名】特許請求の範囲
【補正対象項目名】全文
【補正方法】変更
【補正の内容】
【特許請求の範囲】
【請求項１】
複数の属性項目にそれぞれ属性が設定された複数の属性情報を有した書誌情報が関連付けられた複数の文献情報から所定の文献情報を検索手段にて検索させるための支援をする文献検索支援装置であって、
検索対象となる全ての前記文献情報における全ての前記属性項目および前記属性情報の組み合わせに対する前記属性項目毎における前記属性情報毎の出現確率の対数に−１が乗算された情報量に関する情報量情報を認識する情報量認識手段と、
前記認識した情報量情報の情報量の大きさに対応して前記属性項目毎におけるインスタンス変数となる前記属性情報を、前記文献情報を検索するためのキーワードとして表示手段に一覧表示させる制御をする表示制御手段と、
を具備したことを特徴とした文献検索支援装置。
【請求項２】
請求項１に記載の文献検索支援装置であって、
前記認識した情報量情報の情報量を前記属性項目毎で加算された前記属性項目のエントロピーに関するエントロピー情報を認識するエントロピー認識手段を具備し、
前記表示制御手段は、前記認識したエントロピーの大きさに対応する前記属性項目の優位性に応じて前記属性情報を一覧表示させる制御をする
ことを特徴とした文献検索支援装置。
【請求項３】
請求項１または請求項２に記載の文献検索支援装置であって、
検索対象となる全ての前記文献情報における全ての前記属性項目および前記属性情報の組み合わせから前記属性項目におけるインスタンス変数となる前記属性情報が計数された属性数情報を認識する属性数認識手段を具備し、
前記表示制御手段は、前記属性数情報の数の大きさに対応する前記属性項目の優位性に応じて前記属性情報を一覧表示させる制御をする
ことを特徴とした文献検索支援装置。
【請求項４】
複数の属性項目にそれぞれ属性が設定された複数の属性情報を有した書誌情報が関連付けられた複数の文献情報から所定の文献情報を検索手段にて検索させるための支援をする文献検索支援装置であって、
検索対象となる全ての前記文献情報における全ての前記属性項目および前記属性情報の組み合わせに対する前記属性項目毎における前記属性情報毎の出現確率の対数に−１が乗算された情報量に関する情報量情報を認識する情報量認識手段と、
前記認識した情報量情報の情報量を前記属性項目毎で加算された前記属性項目のエントロピーに関するエントロピー情報を認識するエントロピー認識手段と、
前記認識したエントロピー情報のエントロピーの大きさに対応して前記属性項目を表示手段に一覧表示させる制御をする表示制御手段と、
を具備したことを特徴とした文献検索支援装置。
【請求項５】
請求項１ないし請求項５のいずれかに記載の文献検索支援装置であって、
前記情報量認識手段は、前記属性項目毎における前記属性情報毎で演算した出現確率の対数に−１を乗算して前記情報量を演算して前記情報量情報を認識する
ことを特徴とした文献検索支援装置。
【請求項６】
請求項１ないし請求項５のいずれかに記載の文献検索支援装置であって、
前記情報量認識手段は、前記属性情報毎に前記出現確率の対数に−１が乗算されて演算された前記情報量情報が１つのデータ構造に関連付けられた属性組情報が複数記憶されたテーブル構造に構築された属性組情報一覧テーブルから検索して前記情報量情報を認識する
ことを特徴とした文献検索支援装置。
【請求項７】
複数の属性項目にそれぞれ属性が設定された複数の属性情報を有した書誌情報が関連付けられた複数の文献情報から所定の文献情報を検索手段にて検索させるための支援をする文献検索支援装置であって、
検索対象となる全ての前記文献情報における全ての前記属性項目および前記属性情報の組み合わせから前記属性項目におけるインスタンス変数となる前記属性情報が計数された属性数情報を認識する属性数認識手段と、
前記認識した前記属性数情報の数の大きさに対応して前記属性項目を表示手段に一覧表示させる制御をする表示制御手段と、
を具備したことを特徴とした文献検索支援装置。
【請求項８】
請求項４ないし請求項７のいずれかに記載の文献検索支援装置であって、
前記表示制御手段は、前記属性項目を入力操作に応じて選択可能に一覧表示させ、前記入力操作により選択された前記属性項目におけるインスタンス変数となる前記属性情報を前記表示手段に一覧表示させる制御をする
ことを特徴とした文献検索支援装置。
【請求項９】
請求項１ないし請求項６および請求項８のうちのいずれかに記載の文献検索支援装置であって、
前記表示制御手段は、前記属性情報を入力操作に応じて選択可能に一覧表示させる制御をする
ことを特徴とした文献検索支援装置。
【請求項１０】
請求項１ないし請求項９のいずれかに記載の文献検索支援装置であって、
前記文献情報の検索のためのキーワードとして設定入力された前記属性情報を認識するキーワード認識手段と、
前記演算された情報量情報に基づいて、前記設定入力された属性情報の前記属性項目とは異なる他の前記属性項目における前記属性情報と前記設定入力された属性情報との組み合わせについての関連度合いに関する関連度情報を認識する関連度認識手段と、を具備し、
前記表示制御手段は、前記関連度情報の関連度合いの大きさに対応して前記設定入力された属性情報に関連し前記文献情報を検索するためのキーワードとなる他の属性情報として前記表示手段に一覧表示させる制御をする
ことを特徴とした文献検索支援装置。
【請求項１１】
複数の属性項目にそれぞれ属性が設定された複数の属性情報を有した書誌情報が関連付けられた複数の文献情報から所定の文献情報を検索手段にて検索させるための支援をする文献検索支援装置であって、
前記文献情報の検索のためのキーワードとして設定入力された前記属性情報を認識するキーワード認識手段と、
検索対象となる全ての前記文献情報における全ての前記属性項目および前記属性情報の組み合わせに対する前記属性項目における前記属性情報毎の出現確率の対数に−１が乗算された情報量に関する情報量情報に基づいて、前記設定入力された前記属性情報の前記属性項目とは異なる他の前記属性項目における前記属性情報と前記設定入力された属性情報との組み合わせについての関連度合いに関する関連度情報を認識する関連度認識手段と、
前記関連度情報の関連度合いの大きさに対応して前記設定入力された属性情報に関連し前記文献情報を検索するためのキーワードとなる他の属性情報として表示手段に一覧表示させる制御をする表示制御手段と、
を具備したことを特徴とした文献検索支援装置。
【請求項１２】
請求項１０または請求項１１に記載の文献検索支援装置であって、
前記表示制御手段は、前記他の属性情報における前記情報量情報の情報量の大きさに対応して前記他の属性情報を前記表示手段に一覧表示させる制御をする
ことを特徴とした文献検索支援装置。
【請求項１３】
請求項１０ないし請求項１２のいずれかに記載の文献検索支援装置であって、
前記表示制御手段は、前記情報量情報の情報量を前記属性項目毎で加算した前記属性項目のエントロピーの大きさに対応した前記属性項目の優位性に対応し、前記他の属性情報を前記表示手段に一覧表示させる制御をする
ことを特徴とした文献検索支援装置。
【請求項１４】
請求項１３に記載の文献検索支援装置であって、
前記表示制御手段は、前記情報量情報の情報量を前記属性項目毎で加算した前記属性項目のエントロピーに基づき、前記他の属性情報をそれら他の属性情報の属性項目のエントロピーの大きさに対応して前記表示手段に一覧表示させる制御をする
ことを特徴とした文献検索支援装置。
【請求項１５】
請求項１０ないし請求項１４のいずれかに記載の文献検索支援装置であって、
前記関連度認識手段は、前記設定入力された属性情報と前記他の属性情報との組み合わせの出現確率を関連度合いとして認識する
ことを特徴とした文献検索支援装置。
【請求項１６】
請求項１５に記載の文献検索支援装置であって、
前記関連度認識手段は、検索対象となる全ての前記文献情報における全ての前記属性項目および前記属性情報の組み合わせから前記属性項目における前記属性情報毎で出現確率の対数に−１が乗算された情報量に関する情報量情報が、前記属性項目および前記属性情報の組み合わせに関連付けられて１つのデータ構造に構築された属性組情報を複数記録するテーブル構造の属性組情報一覧テーブルに基づき、前記組み合わせの出現確率を認識する
ことを特徴とした文献検索支援装置。
【請求項１７】
請求項１０ないし請求項１４のいずれかに記載の文献検索支援装置であって、
前記関連度認識手段は、前記異なる前記属性項目における前記属性情報の組み合わせに、その組み合わせの出現確率に関する関連度情報が関連付けられた関連属性組情報を複数記憶するテーブル構造に構築された関連属性組一覧記憶手段に基づいて前記関連度情報を認識する
ことを特徴とした文献検索支援装置。
【請求項１８】
請求項１７に記載の文献検索支援装置であって、
前記関連属性組一覧記憶手段は、検索対象となる全ての前記文献情報における全ての前記属性項目および前記属性情報の組み合わせから前記属性項目における前記属性情報毎で出現確率の対数に−１が乗算された情報量に関する情報量情報が、前記属性項目および前記属性情報の組み合わせに関連付けられて１つのデータ構造に構築された属性組情報を複数記録するテーブル構造の属性組情報一覧テーブルに基づき、前記組み合わせの出現確率に関する関連度情報が設定された
ことを特徴とした文献検索支援装置。
【請求項１９】
請求項１５ないし請求項１８のいずれかに記載の文献検索支援装置であって、
前記出現確率は、前記属性情報の組み合わせが関連付けられた前記文献情報の集合の数における前記文献情報の全数に対する割合である
ことを特徴とした文献検索支援装置。
【請求項２０】
請求項１０ないし請求項１９のいずれかに記載の文献検索支援装置であって、
前記表示制御手段は、前記文献情報の検索にて検出される数が前記他の属性情報のいずれかを選択する設定入力により少なくなる旨の設定入力を促す表示形態で前記他の属性情報を一覧表示させる制御をする
ことを特徴とした文献検索支援装置。
【請求項２１】
請求項１０ないし請求項２０のいずれかに記載の文献検索支援装置であって、
前記表示制御手段は、前記他の属性情報とともに、いずれかの前記他の属性情報を設定入力することで前記検索手段にて検出される前記文献情報の数に関する情報を関連付けて一覧表示させる制御をする
ことを特徴とした文献検索支援装置。
【請求項２２】
請求項１ないし請求項２１のいずれかに記載の文献検索支援装置であって、
前記設定入力され異なる前記属性項目での属性情報の組み合わせに基づいて前記検索手段による検索を実施した履歴に関する履歴情報を複数記録するテーブル構造に構築された履歴情報記憶手段を具備し、
前記表示制御手段は、前記属性情報の設定入力により、前記履歴情報記憶手段に基づいて前記設定入力された属性情報に組み合わされた前記属性情報を読み取り、前記設定入力された属性情報とともに前記検索手段にて検索するためのキーワードとして前記表示手段に表示させる
ことを特徴とした文献検索支援装置。
【請求項２３】
請求項１０ないし請求項２２のいずれかに記載の文献検索支援装置であって、
前記表示制御手段にて一覧表示され設定入力された前記他の属性情報および前記設定入力された属性情報が関連付けられた前記文献情報の検索を前記検索手段にて実施させる制御をする検索制御手段を具備した
ことを特徴とした文献検索支援装置。
【請求項２４】
請求項２３に記載の文献検索支援装置と、
この文献検索支援装置の検索制御手段にて制御され前記文献情報の検索を実施する検索手段と、
を具備したことを特徴とした文献検索装置。
【請求項２５】
請求項２４に記載の文献検索装置であって、
検索対象となる全ての文献情報における全ての前記属性項目および前記属性情報の組み合わせに対する前記属性項目毎における前記属性情報毎の出現確率の対数に−１が乗算された情報量に関する情報量情報に基づいて、前記検索手段により検出された前記文献情報を前記情報量情報の情報量の大きさに対応して前記表示手段に一覧表示させる文献表示制御手段を具備した
ことを特徴とした文献検索装置。
【請求項２６】
請求項２５に記載の文献検索装置であって、
前記文献表示制御手段は、前記検出された文献情報の各属性情報の情報量の総和の大きさに対応して一覧表示させる制御をする
ことを特徴とした文献検索装置。
【請求項２７】
請求項２５に記載の文献検索装置であって、
前記文献表示制御手段は、前記検出された文献情報における検出の際のキーワードとして利用された前記属性情報の情報量の大きさに対応して一覧表示させる制御をする
ことを特徴とした文献検索装置。
【請求項２８】
請求項２５ないし請求項２７のいずれかに記載の文献検索装置であって、
前記文献表示制御手段は、前記文献情報とともに前記情報量情報の情報量の値とともに一覧表示させる制御をする
ことを特徴とした文献検索装置。
【請求項２９】
請求項２４に記載の文献検索装置であって、
検索対象となる全ての前記文献情報における全ての前記属性項目および前記属性情報の組み合わせに対する前記属性項目毎における前記属性情報毎の出現確率の対数に−１が乗算された情報量を前記属性項目毎で加算された前記属性項目のエントロピーに基づいて、前記検索手段により検出された前記文献情報における検出の際のキーワードとして利用された前記属性情報に対応する前記属性項目における前記エントロピーの大きさに対応して前記文献情報を前記表示手段に一覧表示させる文献表示制御手段を具備した
ことを特徴とした文献検索装置。
【請求項３０】
請求項２９に記載の文献検索装置であって、
前記文献表示制御手段は、前記文献情報とともに前記エントロピーの値とともに一覧表示させる制御をする
ことを特徴とした文献検索装置。
【請求項３１】
演算手段により、複数の属性項目にそれぞれ属性が設定された複数の属性情報を有した書誌情報が関連付けられた複数の文献情報から所定の文献情報を検索手段にて検索させるための支援をする文献検索支援方法であって、
前記演算手段は、
検索対象となる全ての前記文献情報における全ての前記属性項目および前記属性情報の組み合わせに対する前記属性項目毎における前記属性情報毎の出現確率の対数に−１が乗算された情報量に関する情報量情報を認識し、
この認識した情報量情報の情報量の大きさに対応して前記属性項目毎におけるインスタンス変数となる前記属性情報を、前記文献情報を検索するためのキーワードとして表示手段に一覧表示させる
ことを特徴とする文献検索支援方法。
【請求項３２】
演算手段により、複数の属性項目にそれぞれ属性が設定された複数の属性情報を有した書誌情報が関連付けられた複数の文献情報から所定の文献情報を検索手段にて検索させるための支援をする文献検索支援方法であって、
前記演算手段は、
検索対象となる全ての前記文献情報における全ての前記属性項目および前記属性情報の組み合わせに対する前記属性項目毎における前記属性情報毎の出現確率の対数に−１が乗算された情報量を前記属性項目毎で加算された前記属性項目のエントロピーに関するエントロピー情報を認識し、
この認識したエントロピー情報のエントロピーの大きさに対応して前記属性項目を表示手段に一覧表示させる
ことを特徴とする文献検索支援方法。
【請求項３３】
演算手段により、複数の属性項目にそれぞれ属性が設定された複数の属性情報を有した書誌情報が関連付けられた複数の文献情報から所定の文献情報を検索手段にて検索させるための支援をする文献検索支援方法であって、
検索対象となる全ての前記文献情報における全ての前記属性項目および前記属性情報の組み合わせから前記属性項目におけるインスタンス変数となる前記属性情報が係数された属性数情報を認識し、
この認識した属性数情報の数の大きさに対応して前記属性項目を表示手段に一覧表示させる
ことを特徴とする文献検索支援方法。
【請求項３４】
演算手段により、複数の属性項目にそれぞれ属性が設定された複数の属性情報を有した書誌情報が関連付けられた複数の文献情報から所定の文献情報を検索手段にて検索されるための支援をする文献検索支援方法であって、
前記文献情報の検索のためのキーワードとして設定入力された前記属性情報を認識すると、検索対象となる全ての前記文献情報における全ての前記属性項目および前記属性情報の組み合わせに対する前記属性項目における前記属性情報毎の出現確率の対数に−１が乗算された情報量に関する情報量情報に基づいて、前記設定入力された前記属性情報の前記属性項目とは異なる他の属性項目における前記属性情報と前記設定入力された属性情報との組み合わせについての関連度合いに関する関連度情報を認識し、
この認識した関連度情報の関連度合いの大きさに対応して前記設定入力された属性情報に関連し前記文献情報を検索するためのキーワードとなる他の属性情報として表示手段に一覧表示させる
ことを特徴とする文献検索支援方法。
【請求項３５】
演算手段を、請求項１ないし請求項２３のいずれかに記載の文献検索支援装置、または、請求項２４ないし請求項３０のいずれかに記載の文献検索装置として機能させる
ことを特徴とした文献検索支援プログラム。
【請求項３６】
請求項３１ないし請求項３４のいずれかに記載の文献検索支援方法を演算手段に実行させる
ことを特徴とした文献検索支援プログラム。
【手続補正２】
【補正対象書類名】明細書
【補正対象項目名】発明の名称
【補正方法】変更
【補正の内容】
【発明の名称】文献検索支援装置、その方法、文献検索装置、および、それらのプログラム
【手続補正３】
【補正対象書類名】明細書
【補正対象項目名】０００１
【補正方法】変更
【補正の内容】
【０００１】
本発明は、複数の属性情報を有した書誌情報が関連付けられた文献情報を検索するための文献検索支援装置、その方法、文献検索装置、および、それらのプログラムに関する。
【手続補正４】
【補正対象書類名】明細書
【補正対象項目名】０００５
【補正方法】変更
【補正の内容】
【０００５】
本発明の目的は、このような点に鑑みて、文献情報が容易で適切に検索可能となる文献検索支援装置、その方法、文献検索装置、および、それらのプログラムを提供することにある。
【手続補正５】
【補正対象書類名】明細書
【補正対象項目名】００１１
【補正方法】変更
【補正の内容】
【００１１】
この発明では、検索対象となる全ての文献情報における全ての属性項目および属性項目にそれぞれ属性が設定された属性情報の組み合わせに対して属性項目毎における属性情報毎の出現確率の対数に−１が乗算された情報量に関する情報量情報を情報量認識手段にて認識し、この認識した情報量情報の情報量を属性項目毎で加算された属性項目のエントロピーに関するエントロピー情報をエントロピー認識手段にて認識する。そして、表示制御手段により、認識したエントロピー情報のエントロピーの大きさに対応して、属性項目を表示手段で一覧表示させる制御をする。このことにより、一覧表示される属性項目が、それら属性項目のインスタンス変数である属性情報の各情報量の大きさに対応した状態で一覧表示されることとなり、文献情報を検索するために設定入力する属性情報として、いずれの属性項目の属性情報を検索のためのキーワードとして設定入力すれば適切な数で文献情報を検出させることができるかの判断を利用者が容易にできる報知が得られ、利用者が所望とする文献情報を適切な数に検索するために実施する設定入力や検索実行要求などの設定入力操作が低減し、良好な検索のための支援を提供する。
【手続補正６】
【補正対象書類名】明細書
【補正対象項目名】００１２
【補正方法】変更
【補正の内容】
【００１２】
そして、本発明では、請求項１ないし請求項５のいずれかに記載の文献検索支援装置であって、前記情報量認識手段は、前記属性項目毎における前記属性情報毎で演算した出現確率の対数に−１を乗算して前記情報量を演算して前記情報量情報を認識する構成とすることが好ましい。この構成では、情報量認識手段により、属性項目毎における属性情報毎で演算した出現確率の対数に−１を乗算して情報量を演算することで情報量情報を認識している。このことにより、適宜演算により情報量を認識するので、属性情報毎の情報量を別途格納する記憶手段を設ける必要がなく、構成の簡略化が図れる。
【手続補正７】
【補正対象書類名】明細書
【補正対象項目名】００１４
【補正方法】変更
【補正の内容】
【００１４】
また、本発明の文献検索支援装置は、複数の属性項目にそれぞれ属性が設定された複数の属性情報を有した書誌情報が関連付けられた複数の文献情報から所定の文献情報を検索手段にて検索させるための支援をする文献検索支援装置であって、検索対象となる全ての前記文献情報における全ての前記属性項目および前記属性情報の組み合わせから前記属性項目におけるインスタンス変数となる前記属性情報が計数された属性数情報を認識する属性数認識手段と、前記認識した前記属性数情報の数の大きさに対応して前記属性項目を表示手段に一覧表示させる制御をする表示制御手段と、を具備したことを特徴とする。
【手続補正８】
【補正対象書類名】明細書
【補正対象項目名】００１５
【補正方法】変更
【補正の内容】
【００１５】
この発明では、検索対象となる全ての文献情報における全ての属性項目および属性項目にそれぞれ属性が設定された属性情報の組み合わせから属性項目におけるインスタンス変数となる属性情報が計数された属性数情報を属性数認識手段にて認識する。そして、表示制御手段により、認識した属性数情報の数の大きさに対応して、属性項目を表示手段で一覧表示させる制御をする。このことにより、一覧表示される属性項目が、それら属性項目のインスタンス変数である属性情報の数の大きさに対応した状態で一覧表示されることとなり、文献情報を検索するために設定入力する属性情報として、いずれの属性項目の属性情報を検索のためのキーワードとして設定入力すれば適切な数で文献情報を検出させることができるかの判断を利用者が容易にできる報知が得られ、利用者が所望とする文献情報を適切な数に検索するために実施する設定入力や検索実行要求などの設定入力操作が低減し、良好な検索のための支援を提供する。
【手続補正９】
【補正対象書類名】明細書
【補正対象項目名】００１８
【補正方法】変更
【補正の内容】
【００１８】
さらに、本発明では、請求項１ないし請求項９のいずれかに記載の文献検索支援装置であって、前記文献情報の検索のためのキーワードとして設定入力された前記属性情報を認識するキーワード認識手段と、前記演算された情報量情報に基づいて、前記設定入力された属性情報の前記属性項目とは異なる他の前記属性項目における前記属性情報と前記設定入力された属性情報との組み合わせについての関連度合いに関する関連度情報を認識する関連度認識手段と、を具備し、前記表示制御手段は、前記関連度情報の関連度合いの大きさに対応して前記設定入力された属性情報に関連し前記文献情報を検索するためのキーワードとなる他の属性情報として前記表示手段に一覧表示させる制御をする構成とすることが好ましい。この構成では、キーワード認識手段にて文献情報の検索のためのキーワードとして設定入力された属性情報を認識すると、関連度認識手段により、設定入力された属性情報の属性項目とは異なる他の属性項目における属性情報との組み合わせについての関連度合いに関する関連度情報を認識する。そして、表示制御手段により、他の属性項目における属性情報を、関連度情報の関連度合いの大きさに対応して、設定入力された属性情報に関連し文献情報を検索するためのキーワードとなる他の属性情報として表示手段に一覧表示させる制御をする。このことにより、文献検索のために設定入力された属性情報では所望の数に文献情報が絞り込まれない状態でも、絞り込みのための設定入力された属性情報に関連する他の属性情報が一覧表示されることとなり、より適切に文献情報を検索するための属性情報が報知され、より良好な検索のための支援を提供する。
【手続補正１０】
【補正対象書類名】明細書
【補正対象項目名】００２０
【補正方法】変更
【補正の内容】
【００２０】
この発明では、キーワード認識手段にて文献情報の検索のためのキーワードとして設定入力された属性情報を認識すると、関連度認識手段により、検索対象となる全ての文献情報における全ての属性項目および属性項目にそれぞれ属性が設定された属性情報の組み合わせに対して属性項目毎における属性情報毎の出現確率の対数に−１が乗算された情報量に関する情報量情報に基づいて、設定入力された属性情報の属性項目とは異なる他の属性項目における属性情報との組み合わせについての関連度合いに関する関連度情報を認識する。そして、表示制御手段により、他の属性項目における属性情報を、関連度情報の関連度合いの大きさに対応して、設定入力された属性情報に関連し文献情報を検索するためのキーワードとなる他の属性情報として表示手段に一覧表示させる制御をする。このことにより、文献検索のために設定入力された属性情報では所望の数に文献情報が絞り込まれない状態でも、絞り込みのための設定入力された属性情報に関連する他の属性情報が一覧表示されることとなり、より適切に文献情報を検索するための属性情報が報知され、より良好な検索のための支援を提供する。
【手続補正１１】
【補正対象書類名】明細書
【補正対象項目名】００２８
【補正方法】変更
【補正の内容】
【００２８】
また、本発明では、請求項１５ないし請求項１８のいずれかに記載の文献検索支援装置であって、前記出現確率は、前記属性情報の組み合わせが関連付けられた前記文献情報の集合の数における前記文献情報の全数に対する割合である構成とすることが好ましい。この構成では、出現確率として、属性情報の組み合わせが関連付けられた文献情報の集合の数における文献情報の全数に対する割合としている。このことにより、容易に組み合わせについての出現確率が得られる。
【手続補正１２】
【補正対象書類名】明細書
【補正対象項目名】００３１
【補正方法】変更
【補正の内容】
【００３１】
また、本発明では、請求項１ないし請求項２１のいずれかに記載の文献検索支援装置であって、前記設定入力され異なる前記属性項目での属性情報の組み合わせに基づいて前記検索手段による検索を実施した履歴に関する履歴情報を複数記録するテーブル構造に構築された履歴情報記憶手段を具備し、前記表示制御手段は、前記属性情報の設定入力により、前記履歴情報記憶手段に基づいて前記設定入力された属性情報に組み合わされた前記属性情報を読み取り、前記設定入力された属性情報とともに前記検索手段にて検索するためのキーワードとして前記表示手段に表示させる構成とすることが好ましい。この構成では、属性情報の設定入力により、設定入力され異なる属性項目での属性情報の組み合わせに基づいて検索手段による検索を実施した履歴に関する履歴情報を複数記録するテーブル構造に構築された履歴情報記憶手段を利用して、表示制御手段により、設定入力された属性情報に組み合わされた属性情報を読み取り、設定入力された属性情報とともに検索手段にて検索するためのキーワードとして表示手段に表示させる。このことにより、属性情報の組み合わせで文献情報を検索した履歴が属性情報の一覧表示に反映され、より良好な検索のための利用者の嗜好に沿った支援が提供される。
【手続補正１３】
【補正対象書類名】明細書
【補正対象項目名】００４７
【補正方法】変更
【補正の内容】
【００４７】
また、本発明の文献検索支援方法は、演算手段により、複数の属性項目にそれぞれ属性が設定された複数の属性情報を有した書誌情報が関連付けられた複数の文献情報から所定の文献情報を検索手段にて検索されるための支援をする文献検索支援方法であって、前記文献情報の検索のためのキーワードとして設定入力された前記属性情報を認識すると、検索対象となる全ての前記文献情報における全ての前記属性項目および前記属性情報の組み合わせに対する前記属性項目における前記属性情報毎の出現確率の対数に−１が乗算された情報量に関する情報量情報に基づいて、前記設定入力された前記属性情報の前記属性項目とは異なる他の属性項目における前記属性情報と前記設定入力された属性情報との組み合わせについての関連度合いに関する関連度情報を認識し、この認識した関連度情報の関連度合いの大きさに対応して前記設定入力された属性情報に関連し前記文献情報を検索するためのキーワードとなる他の属性情報として表示手段に一覧表示させることを特徴とする。
【手続補正１４】
【補正対象書類名】明細書
【補正対象項目名】００５３
【補正方法】削除
【補正の内容】
【手続補正１５】
【補正対象書類名】明細書
【補正対象項目名】００５４
【補正方法】削除
【補正の内容】
【手続補正１６】
【補正対象書類名】明細書
【補正対象項目名】００７４
【補正方法】変更
【補正の内容】
【００７４】
文献情報記憶領域３４１は、複数の文献情報３４１Ａを記憶するテーブル構造に構成されている。文献情報３４１Ａは、例えば図４に示すように、テキスト形式の本文や画像データ形式の図面などが１つのデータ構造に構成された本文情報３４１Ａ１と、文献情報３４１Ａを特定する文献固有情報である例えばＩＤ（identification）番号などの識別情報３４１Ａ２と、を１つのデータ構造として関連付けられて構成されている。なお、文献情報記憶領域３４１には、各文献情報３４１Ａにその文献情報３４１Ａの書誌情報を構成する出願人や発明者、出願番号などの複数の属性情報を関連付けたテーブル構造としたり、各文献情報３４１Ａに関連付けて書誌情報を複数記憶するテーブル構造としたりしてもよい。
【手続補正１７】
【補正対象書類名】明細書
【補正対象項目名】００７５
【補正方法】変更
【補正の内容】
【００７５】
属性組情報一覧テーブル記憶領域３４２は、例えば図５に示すように、属性項目情報３４２Ａ１と、属性情報３４２Ａ２と、情報量情報３４２Ａ３と、エントロピー情報３４２Ａ４とを１つのデータ構造に関連付けられた属性組情報３４２Ａを複数記憶するテーブル構造に構築されている。属性項目情報３４２Ａ１は、文献情報３４１Ａの書誌情報である属性項目に関する情報で、例えば「出願人」、「発明者」、「国際特許分類（ＩＰＣ）」などである。属性情報３４２Ａ２は、各文献情報３４１Ａに属性項目として設定された情報で、例えば図５に示すように、属性項目が「出願人」である場合には出願人の氏名や名称、「発明者」の場合には発明者の氏名などである。情報量情報３４２Ａ３は、属性項目情報３４２Ａ１と属性情報３４２Ａ２との組み合わせがその属性項目情報３４２Ａ１における情報量、すなわち出現確率に基づく情報量に関する情報である。具体的には、例えば属性情報３４２Ａ２がＶｉである場合、以下の数１および数２に示すように、サーバ処理手段３５０により、最大尤度として出現確率を演算し、この出現確率の値に基づいて情報量Ｉ（Ｖｉ）が演算される。また、エントロピー情報３４２Ａ４は、属性項目毎で設定されるインスタンス変数となる属性情報３４２Ａ２の情報量の総和となるエントロピーに関する情報である。具体的には、例えば数３に示すように、サーバ処理手段３５０により、属性項目における各属性情報３４２Ａ２の情報量を加算することによりエントロピーＥ（Ｖｉ）が演算される。
【手続補正１８】
【補正対象書類名】明細書
【補正対象項目名】００９５
【補正方法】変更
【補正の内容】
【００９５】
関連度認識手段３５２Ｄは、キーワードとして設定入力された属性情報３４２Ａ２と、この属性情報３４２Ａ２がインスタンス変数となる属性項目と異なる他の属性項目との関連度合いを認識する。この関連度合いの認識は、関連属性組一覧記憶領域３４３に基づいて、設定入力された属性情報３４２Ａ２と同一の属性情報３４２Ａ２を有する関連属性組情報３４３Ａを検索し、この関連属性組情報３４３Ａの関連度１情報３４３Ａ３、関連度２情報３４３Ａ４および関連度３情報３４３Ａ５を読み取ることにより認識する。これら認識した関連度１情報３４３Ａ３、関連度２情報３４３Ａ４および関連度３情報３４３Ａ５は、設定入力された属性情報３４２Ａ２とともに関連付けられてサーバ記憶手段３４０に適宜記憶される。なお、関連度認識手段３５２Ｄは、関連属性組一覧記憶領域３４３に基づく検索により、関連度１情報３４３Ａ３、関連度２情報３４３Ａ４および関連度３情報３４３Ａ５を読み取ることができない場合には、その設定入力された属性情報３４２Ａ２が関連付く文献情報３４１Ａが文献情報記憶領域３４１に記憶されていない、あるいはその属性情報３４２Ａ２に関連する属性情報３４２Ａ２がないなどと判断し、その旨を設定入力された属性情報３４２Ａ２とともに関連付けてサーバ記憶手段３４０に適宜記憶させる。また、関連度認識手段３５２Ｄは、関連度１情報３４３Ａ３、関連度２情報３４３Ａ４および関連度３情報３４３Ａ５に基づいて、これらのうちの少なくともいずれか１つを引数とする関数の値を演算し、対の属性情報３４２Ａ２の関連度合いを認識する。具体的には、以下の数５に示す演算により関連度合いを演算する。
【手続補正１９】
【補正対象書類名】明細書
【補正対象項目名】０１３２
【補正方法】変更
【補正の内容】
【０１３２】
〔実施の形態の作用効果〕
上述したように、上記実施の形態では、検索対象でサーバ記憶手段３４０の文献情報記憶領域３４１に記憶された全ての文献情報３４１Ａにおける全ての属性項目およびこれら属性項目にそれぞれ属性が設定された属性情報３４２Ａ２の組み合わせに対して、サーバ記憶手段３４０の属性組情報一覧テーブル記憶手段３４２に記憶され属性項目毎における属性情報３４２Ａ２毎の出現確率の対数に−１が乗算された情報量に関する情報量情報３４２Ａ３を情報量認識手段３５２Ｂにより認識する。そして、表示制御手段３５２Ｅにより、属性項目毎におけるインスタンス変数となる属性情報３４２Ａ２を、情報量の大きさに対応した順序で、文献情報３４１Ａを検索するためのキーワードとして端末表示手段２３０で一覧表示させる制御をしている。このため、文献検索のためのキーワードとして設定入力され得る属性情報３４２Ａ２がその属性項目における出現確率の値の大きさに顕著に対応する状態で一覧表示され、利用者は文献検索のために属性情報３４２Ａ２としていずれの属性情報３４２Ａ２を設定入力すれば適切な数で文献情報３４１Ａを検出させることができるかの判断が容易にできる。したがって、利用者が所望とする文献情報３４１Ａを適切な数で検出させる絞り込みの条件設定や実施させる検索回数を低減でき、利用者による設定入力操作の負荷を低減でき、利用者が良好に文献検索できる良好な支援を提供できる。このことにより、利用の拡大が容易に図れる。
【手続補正２０】
【補正対象書類名】明細書
【補正対象項目名】０１３６
【補正方法】変更
【補正の内容】
【０１３６】
また、情報量に基づく関連度合いとして、上述した数４に基づいて、関連度１情報３４３Ａ３、関連度２情報３４３Ａ４および関連度３情報３４３Ａ５を演算し、これらに基づいて関連度合いを認識している。このため、文献情報３４１Ａに関連付けられる属性情報３４２Ａ２の異なる属性項目間での関連性が簡単な演算で適切に得られ、利用者が所望する良好な検索結果が容易に得られる。
【手続補正２１】
【補正対象書類名】明細書
【補正対象項目名】０１４８
【補正方法】変更
【補正の内容】
【０１４８】
そして、キーワードが設定された際に、情報量の大きさおよびエントロピーの大きさに基づいて他の属性情報３４２Ａ２を一覧表示させて説明したが、この限りではない。例えば、表示制御手段３５２Ｅにより、検索要求情報取得手段３５２Ａで取得したキーワードを属性情報３４２Ａ２として関連付けられた文献情報３４１Ａの数およびその属性項目における他の属性情報３４２Ａ２が関連付けられた文献情報３４１Ａの数を認識し、数の大きさの順で一覧表示させるようにしてもよい。この場合、あらかじめ計数した数に関する情報を属性組情報３４２Ａに関連付けて記憶しておき、属性組情報一覧テーブル記憶領域３４２から読み取ってもよい。そして、この場合においても、計数した数を合わせて一覧表示させるとよい。このような関連付く文献情報３４１Ａの数の大きさに基づいて属性情報３４２Ａ２を一覧表示させる構成でも、上述した実施の形態と同様の作用効果が得られる。また、関連付く文献情報３４１Ａの数に基づくので、演算処理や属性組情報一覧テーブル記憶領域３４２に記憶する情報量が低減し、処理の高速化や構成の簡略化などが容易に図れる。
【手続補正２２】
【補正対象書類名】明細書
【補正対象項目名】０１５５
【補正方法】変更
【補正の内容】
【０１５５】
また、異なる属性項目における属性情報３４２Ａ２の関連度合いの大きさに対応して一覧表示したが、これに限られない。例えば、設定入力された属性情報３４２Ａ２に関連する他の属性情報３４２Ａ２の一覧表示として、他の属性情報３４２Ａ２の情報量の大きさに対応する順や、他の属性情報３４２Ａ２の属性項目のエントロピーの大きさに対応する順に一覧表示させても同様の効果が得られる。
【手続補正２３】
【補正対象書類名】明細書
【補正対象項目名】０１５６
【補正方法】変更
【補正の内容】
【０１５６】
また、他の属性情報３４２Ａ２の一覧表示の際、いずれかの他の属性情報３４２Ａ２を追加のキーワードとして選出することにより、検出される文献数が少なくなる旨の表示形態で一覧表示させてもよい。この構成により、より利用者が適切な数で文献検索させるための判断が容易にできる。そして、この少なくなる旨の表示形態として、検出される文献数を合わせて表示させてもよい。この構成により、適切な数で所望の文献情報３４１Ａを検索させることが最小限の入力操作で得られ、より良好な文献検索のための支援を提供できる。
【手続補正２４】
【補正対象書類名】図面
【補正対象項目名】図６
【補正方法】変更
【補正の内容】
【図６】
2006113683.tif 000001
【手続補正２５】
【補正対象書類名】図面
【補正対象項目名】図８
【補正方法】変更
【補正の内容】
【図８】
2006113683.tif 000002
【手続補正２６】
【補正対象書類名】図面
【補正対象項目名】図１０
【補正方法】変更
【補正の内容】
【図１０】
2006113683.tif 000003